(57)【要約】  本発明は、空気流を乾燥させるおよび／または冷却するためのシステムに関し、システムは、空気流を冷却するための少なくとも１つの冷却装置を含み、冷却装置は、−冷却する空気流のための流入開口と冷却された空気流のための流出開口とを有する少なくとも１つの冷却チャネルと、−伝達壁によって冷却チャネルとは分離され、冷却チャネルの流出開口に媒体の通流のために接続された流入開口と流出開口とを有する少なくとも１つの蒸発チャネルと、−伝達壁の蒸発チャネルに向けられた側を湿らすための手段とを含み、システムは、空気流を乾燥させるための乾燥装置を含み、乾燥装置は、−乾燥させる空気流のための流入開口と乾燥させた空気流のための流出開口とを有する乾燥チャネルを含み、冷却装置の冷却チャネルの流出開口および／または冷却装置の蒸発チャネルの流出開口は、媒体の通流のために乾燥装置の流入開口に接続される。
2014500475.tif 000002
【特許請求の範囲】
【請求項１】
空気流を乾燥させるおよび／または冷却するためのシステムであって、
空気流を冷却するための少なくとも１つの冷却装置を備え、冷却装置は、
−冷却する空気流のための流入開口と冷却された空気流のための流出開口とを有する少なくとも１つの冷却チャネルと、
−伝達壁によって冷却チャネルとは分離され、冷却チャネルの流出開口に媒体の通流のために接続された流入開口と流出開口とを有する少なくとも１つの蒸発チャネルと、
−伝達壁の蒸発チャネルに向けられた側を湿らすための手段とを含み、
システムは、空気流を乾燥させるための乾燥装置を備え、乾燥装置は、
−乾燥させる空気流のための流入開口と乾燥させた空気流のための流出開口とを有する乾燥チャネルを含み、
冷却装置の冷却チャネルの流出開口および／または冷却装置の蒸発チャネルの流出開口は、媒体の通流のために乾燥装置の流入開口に接続される、システム。
【請求項２】
乾燥装置の流出開口は、媒体の通流のために冷却装置の冷却チャネルの流入開口に接続される、請求項１に記載のシステム。
【請求項３】
２つの冷却装置を備え、乾燥装置の流出開口は、媒体の通流のために一方の冷却装置の冷却チャネルの流入開口に接続され、他方の冷却装置の冷却チャネルの流出開口および／または他方の冷却装置の蒸発チャネルの流出開口は、媒体の通流のために乾燥装置の流入開口に接続される、請求項１または２に記載のシステム。
【請求項４】
熱交換器を備え、熱交換器は、一方側が媒体の通流のために冷却装置の冷却チャネルの流出開口および／または冷却装置の蒸発チャネルの流出開口に接続され、他方側が媒体の通流のために乾燥装置の流入開口および／または冷却装置の冷却チャネルの流入開口に接続される、請求項１または２に記載のシステム。
【請求項５】
熱交換器は、一方側が媒体の通流のために冷却装置の冷却チャネルの流出開口に接続され、他方側が媒体の通流のために冷却装置の冷却チャネルの流入開口および／または乾燥装置の流入開口に接続され、冷却装置の冷却チャネルの流出開口および／または蒸発チャネルの流出開口は、媒体の通流のために乾燥装置の流入開口に接続される、請求項４に記載のシステム。
【請求項６】
システムは、少なくとも空気流に関する限りにおいてはクローズドシステムである、請求項５に記載のシステム。
【請求項７】
システムにおける空気圧の値は、０．５ｂａｒ〜３ｂａｒである、請求項６に記載のシステム。
【請求項８】
乾燥装置は空気流を乾燥させるための乾燥手段を含む、請求項１から７のいずれか１項に記載のシステム。
【請求項９】
乾燥手段の乾燥重量に対して乾燥手段が吸収できる湿気の量は、相対空気湿度の上昇に伴って増加する、請求項８に記載のシステム。
【請求項１０】
相対空気湿度の所定の値から、乾燥手段の乾燥重量に対して乾燥手段が吸収できる湿気の量は、相対空気湿度の上昇に伴って少なくともおおよそ指数関数的に増加する、請求項９に記載のシステム。
【発明の詳細な説明】
【発明の概要】
【課題を解決するための手段】
【０００１】
本発明は、空気流を乾燥させるおよび／または冷却するためのシステムに関し、システムは、
空気流を冷却するための少なくとも１つの冷却装置を含み、冷却装置は、
−冷却する空気流のための流入開口と冷却された空気流のための流出開口とを有する少なくとも１つの冷却チャネルと、
−伝達壁によって冷却チャネルとは分離され、冷却チャネルの流出開口に媒体の通流のために接続された流入開口と流出開口とを有する少なくとも１つの蒸発チャネルと、
−伝達壁の蒸発チャネルに向けられた側を湿らすための手段とを含み、
システムは、空気流を乾燥させるための乾燥装置を含み、乾燥装置は、
−乾燥させる空気流のための流入開口と乾燥させた空気流のための流出開口とを有する乾燥チャネルを含む。
【０００２】
このような冷却装置は、たとえばオランダ特許第ＮＬ−Ｃ−１０３０５３８号により知られる。本発明に係るシステムに適用することができる冷却装置の動作の例として、この特許公報が参照される。たとえばオランダ特許第ＮＬ−Ｃ−１０２９８２２号により知られる乾燥装置は、冷却装置に流入する前に空気流が除湿されるように、通常は冷却装置の上流に配置される。この特許公報は、本発明に係るシステムに適用することができる乾燥装置の動作の例として参照される。温かく湿った空気流は、この方法により、システム周辺の領域から乾燥装置の乾燥チャネルの流入開口内に引き込まれて除湿され、その後、空気流は冷却装置で冷却され、用途を問わず使用することのできる冷たく乾燥した空気流となる。この冷たく乾燥した空気流は、たとえば空間に供給することができる。なお、他のタイプの乾燥器および冷却装置も本発明に係るシステムに適合させることができる。
【０００３】
本発明の目的は、乾燥装置内で空気流を効率的にもしくは少なくとも効果的に除湿する、空気流を乾燥させるおよび／または冷却するためのこのようなシステムを提供することにある。
【０００４】
この目的のために、序文に記載したタイプの本発明に係るシステムは、冷却装置の冷却チャネルの流出開口および／または冷却装置の蒸発チャネルの流出開口が媒体の通流のために乾燥装置の流入開口に接続されるという特徴を有する。
【０００５】
湿った空気流の乾燥装置の効率が空気流の相対湿度によって高められることが出願人によって発見された。冷却装置の冷却チャネルの流出開口および／または冷却装置の蒸発チャネルの流出開口から来る空気流は、通常は周囲空気よりも高い相対湿度を有し、乾燥装置は、冷却装置から来る空気流を効率的に乾燥させることができる。一定の空気流の絶対湿度で空気流の温度が下がることから、冷却チャネル内で空気流の相対湿度は高められ、これによって相対湿度が高まることとなる。空気流は、伝達壁に加えられる湿気の蒸発によって冷やされ、それによって冷却チャネルを流れる空気流から伝達壁を介して熱を吸収することから、冷却装置の蒸発チャネルにおいて空気流の相対湿度が高められる。蒸発チャネル内の空気流の温度は熱吸収によって高められ、それによってこの空気流がより多くの湿気を吸収することができる。湿気の蒸発および温度の高まりによって、空気の絶対湿度および相対湿度の両方がこのような方法で高められ、この相対湿度は周囲空気の相対湿度よりも高くなる。
【０００６】
このため、本発明に係るシステムにおける空気流の相対湿度は、冷却装置において高められ、その後に空気流が乾燥装置において除湿される。このように効率的に除湿された空気は、たとえば、乾燥空気が望まれる空間に供給することができる、または、必要に応じて、用途を問わず使用することができる。除湿される空気は、たとえば冷却装置の冷却チャネルの流入開口内に引き込まれる、たとえば周囲空気であってもよい。選択的または付加的に、周囲空気は他の任意の空気流であってもよい。
【０００７】
このため、本発明に係るシステムは、まさに乾燥装置の下流の代わりに上流に冷却装置が配置されることから、公知のシステムとは異なるものである。空気流を乾燥させる前に空気流の相対湿度をまず高めることは矛盾するように思われるが、本発明では、まさにこれによって乾燥装置の効率が高められる。このように効率的に乾燥された空気は、空気乾燥処理または空気冷却処理に使用することができる。
【０００８】
本発明に係るシステムの他の実施形態において、乾燥装置の流出開口は、媒体の通流のために冷却装置の冷却チャネルの流入開口に接続される。
【０００９】
除湿された空気は、再びここで冷却され、望み通りに使用することができる冷たく乾燥した空気流となる。この冷たく乾燥した空気流は、たとえば空間に供給することができる。
【００１０】
本発明に係るシステムの実施形態において、システムは２つの冷却装置を含み、乾燥装置の流出開口は媒体の通流のために一方の冷却装置の冷却チャネルの流入開口に接続され、他方の冷却装置の冷却チャネルの流出開口および／または他方の冷却装置の蒸発チャネルの流出開口は、媒体の通流のために乾燥装置の流入開口に接続される。
【００１１】
本発明に係るシステムの他の実施形態において、システムは熱交換器を含む。熱交換器は、一方側が媒体の通流のために冷却装置の冷却チャネルの流出開口および／または冷却装置の蒸発チャネルの流出開口に接続され、他方側が媒体の通流のために乾燥装置の流入開口および／または冷却装置の冷却チャネルの流入開口に接続される。
【００１２】
このようなシステムにおいて、冷却された空気流は、空間に供給されず、熱交換器において熱伝達媒体もしくは冷気伝達媒体と熱伝達接触させられる。冷却された空気流の温度がここで高められる一方、熱伝達媒体もしくは冷気伝達媒体が冷却される。熱伝達媒体もしくは冷気伝達媒体は、熱交換器に引き込まれ、冷却され、その後に空間に供給される、たとえば周囲空気などの第２の空気流であってもよい。熱伝達媒体もしくは冷気伝達媒体は、水であってもよく、この水は熱交換器内で冷却される。この冷却された水は、たとえば建物の冷却に使用することができる。
【００１３】
熱交換器は、流れが対向流である任意のタイプの熱交換器であってもよい。
たとえば、熱交換器は、一方側が媒体の通流のために冷却装置の冷却チャネルの流出開口に接続され、他方側が媒体の通流のために冷却装置の冷却チャネルの流入開口および／または乾燥装置の流入開口に接続され、冷却装置の冷却チャネルの流出開口および／または蒸発チャネルの流出開口は、媒体の通流のために乾燥装置の流入開口に接続される。
【００１４】
このシステムの利点は、冷却された空気流が冷却装置の冷却チャネルの流出開口から熱交換器に放出される一方で、冷却チャネルから来る空気流よりも温度の高い、冷却装置の蒸発チャネルの流出開口からの空気流が乾燥装置の流入開口に運ばれる点にある。
【００１５】
たとえば、システムは、少なくとも空気流に関する限りにおいてはクローズドシステムである。これには、システムが屋外の天候に依存しないという利点がある。
【００１６】
クローズドシステムにおいては、システム内の空気圧を調節するための手段をさらに設けることができる。システムにおける空気圧の値は、たとえば０．５ｂａｒ〜３ｂａｒとすることができる。空気圧は、特に０．５ｂａｒ、１ｂａｒ、または２ｂａｒとすることができる。
【００１７】
空気圧がより高い場合は、空気圧が低い場合よりも、空気を所定の温度冷却するために空気流から取り出さなければならない水の空気１キログラムあたりのグラム数を少なくすることができるという利点がある。一方、空気圧が低い場合は、空気圧が高い場合よりも、一定の絶対湿度において空気流の温度を低くすることができるという利点がある。このため、システムを適用する所定の空気圧を選択することができる。
【００１８】
実際の実施形態において、乾燥装置は、空気流を乾燥させるための乾燥手段を含む。このような乾燥手段は、吸湿性であり、吸収および／または吸着によって空気流から湿気を吸収する。このような乾燥手段の例としては、たとえば、シリカゲル、硝酸アンモニウム、塩化カルシウム、フッ化カルボニル、硫酸マグネシウム、塩化ナトリウム、硫酸ナトリウム、プロピオン酸ナトリウム、（ｐ（ＡＡ））ナトリウム塩などがあるが、これらに限られるものではない。
【００１９】
乾燥手段のタイプは、乾燥手段の乾燥重量に対して乾燥手段が吸収できる湿気の量が相対空気湿度の上昇に伴って増加するものであるのが好ましい。
【００２０】
このような乾燥手段により、乾燥装置は、相対空気湿度が低い場合よりも、相対空気湿度が高い場合において、効率的により多くの湿気を空気流から吸収することができる。
【００２１】
相対空気湿度の所定の値から、乾燥手段の乾燥重量に対して乾燥手段が吸収できる湿気の量は、特に、相対空気湿度の上昇に伴って少なくともおおよそ指数関数的に増加する。
【００２２】
たとえば、所定の塩は、相対空気湿度の所定の値からこのようなおおよそ指数関数的な曲線を示し、乾燥手段による湿気の吸収は、この所定の値を超えた高い空気流の相対空気湿度において高効率に行われる。
【００２３】
本発明について、図面に示される描画を参照して以下でさらに説明する。
【図面の簡単な説明】
【００２４】
【図１Ａ】本発明に係るシステムの異なる実施形態を概略的に示す図である。
【図１Ｂ】本発明に係るシステムの異なる実施形態を概略的に示す図である。
【図２】本発明に係るシステムの異なる実施形態を概略的に示す図である。
【図３Ａ】本発明に係るシステムの異なる実施形態を概略的に示す図である。
【図３Ｂ】本発明に係るシステムの異なる実施形態を概略的に示す図である。
【図４】本発明に係るシステムの異なる実施形態を概略的に示す図である。
【図５Ａ】本発明に係るシステムの異なる実施形態を概略的に示す図である。
【図５Ｂ】本発明に係るシステムの異なる実施形態を概略的に示す図である。
【図６Ａ】０．５ｂａｒの場合を示すモリエル図である。
【図６Ｂ】１ｂａｒの場合を示すモリエル図である。
【図６Ｃ】２ｂａｒの場合を示すモリエル図である。
【図７】シリカゲルおよびナトリウム塩に関して、相対空気湿度を関数として乾燥重量に対して乾燥手段が吸収することのできる湿気の量を概略的に示す図である。
【発明を実施するための形態】
【００２５】
空気流は、図中に矢印で示される。矢印が２つ以上の連続した矢印に分割されている場合は、空気流の一部が分離され、これらの部分空気流が異なる行き先に流れることを意味する。異なる部分空気流の流量および異なる部分空気流の割合は変化し得て、その場合には望み通りに調節することができる。
【００２６】
図１Ａは、空気流を冷却するためのシステムを示す。システムは、空気流を冷却するための冷却装置１を含む。冷却装置１は、冷却する空気流のための流入開口と冷却された空気流のための流出開口とを有する少なくとも１つの冷却チャネル１０と、伝達壁１１によって冷却チャネル１０とは分離され、冷却チャネル１０の流出開口に媒体の通流のために接続された流入開口と流出開口とを有する少なくとも１つの蒸発チャネル１２と、伝達壁１１の蒸発チャネル１２に向けられた側を湿らすための手段とを含む。システムは、空気流を乾燥させるための乾燥装置２をさらに含む。乾燥装置２は、乾燥させる空気流のための流入開口と乾燥させた空気流のための流出開口とを有する乾燥チャネル１３を含む。
【００２７】
冷却チャネル１０の流入開口に流れ込み、冷却器１において相対湿度が高められる空気は、たとえば周囲空気であってもよい。図１Ａに係るシステムにおいて、冷却チャネル１０から来る空気流の一部は、乾燥チャネル１３の流入開口に流れ、他の部分は蒸発チャネル１２の流入開口に流れる。冷却装置１によって相対湿度の高められた空気は、乾燥装置２において乾燥される。この空気は、たとえば、乾燥空気が望まれる空間に乾燥チャネル１３の流出開口を介して供給することができる。
【００２８】
図１Ａに係るシステムにおいては、代替的または付加的に、蒸発チャネル１２の流出開口を媒体の通流のために乾燥チャネル１３の流入開口に接続することもできる。蒸発チャネル１２から来る温かく湿った空気流の少なくとも一部は、これによって乾燥装置２内で除湿することができる。
【００２９】
図１Ｂは、図１Ａに係るシステムにおいて、乾燥器２の乾燥チャネル１３の流出開口は、媒体の通流のために冷却器１の冷却チャネル１０の流入開口に接続され、乾燥器２において除湿された空気流の一部が冷却装置１の冷却チャネル１０の流入開口に戻されるシステムを示す。この方法によって空気流の少なくとも一部が乾燥器２に二度にわたって導かれるため、空気流の絶対湿度は、空気流が乾燥器２に一度導かれる図１Ａに係るシステムと比較して低くなる。これは、絶対湿度の低い空気が望まれる場合に有利となり得る。
【００３０】
図２は、２つの冷却器１ａおよび１ｂを有するシステムを示す。乾燥装置２の流出開口は、ここでは媒体の通流のために一方の冷却装置１ｂの冷却チャネル１０ｂの流入開口に接続され、他方の冷却装置１ａの冷却チャネル１０ａの流出開口は、媒体の通流のために乾燥装置２の流入開口に接続される。図２に係るシステムにおいて、冷却チャネル１０ａから来る空気流の一部は、乾燥チャネル１３の流入開口を介して乾燥装置２に流れ込み、他の部分は蒸発チャネル１２ａの流入開口を介して他方の冷却装置１ａに流れ込む。なお、代替的または付加的に、他方の冷却装置１ａの蒸発チャネル１２ａの流出開口は、媒体の通流のために乾燥装置２の流入開口に接続することができる。周囲空気は、ここでは他方の冷却器１ａの冷却チャネル１０ａの流入開口を介して引き込まれる。冷却された空気は、冷却器１ｂの冷却チャネル１０ｂの流出開口から空間に供給される。
【００３１】
図３Ａにおいて、乾燥装置２の流出開口は、媒体の通流のために冷却装置１の冷却チャネル１０の流入開口に接続され、冷却装置１の冷却チャネル１０の流出開口は、媒体の通流のために乾燥装置２の流入開口に接続される。冷却装置１の冷却チャネルの流出開口から来る空気流は３つの部分空気流に分離され、これらのうち、第１の部分空気流は乾燥装置２に導かれ、第２の部分空気流はたとえば空間に供給され、第３の部分空気流は冷却装置１の蒸発チャネル１２の入口開口に導かれる。例示を目的として、冷却された空気の約１／３がたとえば空間に供給され、冷却された空気流の約１／３が乾燥器２に供給され、冷却された空気の１／３は冷却器１の蒸発チャネル１２にも供給され、その後に湿った空気流が空間の外の領域に供給される。これらの割合は異ならせることもできる。たとえば、冷却された空気の１／２を乾燥器２に供給し、１／２を空間および／または蒸発チャネル１２に供給することができる。図３Ａに係るシステムにおいては、破線の矢印で示されるように、周囲空気は、冷却器１の冷却チャネル１０の流入開口に引き込まれ、乾燥器２から来る乾燥した空気と混ぜ合わされる、および／または周囲空気は、乾燥器２の乾燥チャネル１３の流入開口に引き込まれる。
【００３２】
図３Ｂは、図３Ａのシステムにおいて、蒸発チャネル１２から来る温かく湿った空気が乾燥器２で除湿されるように、冷却器１の蒸発チャネル１２の流出開口は、媒体の通流のためにさらに乾燥器２の乾燥チャネル１２の流入開口に接続されるシステムを示す。
【００３３】
図４は、１つの冷却器１と、１つの乾燥器２と、１つの熱交換器３とを有するシステムを示す。熱交換器３は、ここでは一方側が媒体の通流のために冷却装置１の冷却チャネル１０の流出開口に接続され、他方側が媒体の通流のために乾燥装置２の乾燥チャネル１３の流入開口に接続される。図４に係るシステムにおいては、冷却された空気流は、空間に供給されず、熱交換器３の第１のチャネル１４において熱伝達隔壁１６を介して熱交換器３の第２のチャネル１５の第２の空気流と熱伝達接触させられる。冷却された空気流の温度はここで高められ、第２の空気流は冷却される。第２の空気流は、たとえば、熱交換器３に引き込まれ、冷却され、その後に空間に供給される周囲空気である。周囲空気は、冷却器１の冷却チャネル１０の流入開口、および／または乾燥器２の乾燥チャネル１３の流入開口にさらに引き込まれ得る。冷却器１の蒸発チャネルから来る空気流は、システムの外の周囲領域に放出される。
【００３４】
図５Ａおよび図５Ｂは、少なくとも空気流に関する限りにおいてはクローズされており、冷却器１と、乾燥器２と、熱交換器３とを有するシステムを示す。空気流はシステム内に残るため、システムの冷却能力は、少なくとも周辺領域の天候による影響を受けにくい。冷却器１の冷却チャネル１０の流出開口から来る冷却された空気流は、熱交換器３の第１のチャネル１４において、熱交換隔壁１６を介して熱交換器３の第２のチャネル１５の第２の空気流と熱交換接触させられ、第２の空気流は空間に供給される。冷却器１の蒸発チャネル１２から来る空気流は、乾燥器２の乾燥チャネル１３の流入開口に導かれる。図５Ａに係るシステムにおいて、蒸発チャネル１２から来る空気流は、熱交換器３の第１のチャネル１４から来る空気流と混ぜ合わされる。図５Ｂに係るシステムにおいて、熱交換器３の第１のチャネル１４から来る空気流は、冷却器１の冷却チャネル１０の流入開口に導かれる。破線の矢印により示されるように、図５Ａおよび図５Ｂに係るシステムにおいて、冷却器１の冷却チャネル１０から来る冷却された空気流の一部は、乾燥器２の乾燥チャネル１３の入口開口に導かれ得る。なお、乾燥器２の再生のための空気流および／または熱交換器３の第２のチャネル１５を通って流れる第２の空気流は、クローズドもしくはオープンシステムにおいて選択的に配置することができる。
【００３５】
空気流の分配は、異なる方法で望み通りに調節することができる。したがって、図５Ａおよび図５Ｂにおいては、冷却器１の蒸発チャネル１２から来る空気流の約１／３〜２／３を乾燥器２の流入開口に導くことができ、冷却器１の冷却チャネル１０の流出開口から来る冷却された空気流の約１／３〜２／３を熱交換器３に導くことができる。
【００３６】
また、冷却器１の冷却チャネル１０の流出開口から来る冷却された空気流の一部が冷却器１の蒸発チャネル１２から来る空気流と混ぜ合わされ、この混合気が乾燥器２に導かれる場合もある。このため、乾燥される湿気の量の空気１ｋｇあたりのグラム数は減少し、乾燥によって、蒸発チャネル１２から来る温かく湿った空気流が乾燥器２に導かれるのみの場合よりも、空気流の温度の上昇が比較的低くなる。
【００３７】
図６Ａ〜図６Ｃのモリエル図は、空気流を所定温度に到達させるために空気流から取り出さなければならないｇ水／ｋｇ空気で表わされる水の量は、２ｂａｒの空気圧の場合においては（図６Ｃ）、１ｂａｒ（図６Ｂ）または０．５ｂａｒ（図６Ａ）の空気圧の場合よりも少ないことを示している。図６Ａ〜図６Ｃは、一定の絶対湿度において、０．５ｂａｒ（図６Ａ）では、１ｂａｒ（図６Ｂ）または２ｂａｒ（図６Ｃ）の場合よりも低い絶対温度に到達することができることをさらに示している。
【００３８】
図７は、シリカゲルおよびナトリウム塩に関し、乾燥重量（Ａｍ）と比べた乾燥手段が吸収することができる湿気の量を、相対空気湿度（ＲＨ）の関数として示している。これは、ナトリウム塩の場合には、吸収することのできる湿気の量が約５０％の相対空気湿度からおおよそ指数関数的に、または少なくとも漸進的に増大していることを示している。このため、ナトリウム塩は、５０％から１００％の間の相対空気湿度を空気流が有している時に効率的に空気から湿気を吸収し、９０％の空気湿度が実用的な値である。ナトリウム塩が吸収できる湿気の量が約５０％の相対空気湿度から約１００％の相対空気湿度まで指数関数的に増大することから、相対空気湿度は出来る限り高いのが好ましい。
【００３９】
本発明は示された実施形態に限定されず、添付の請求項の範囲内での変形にも及ぶ。
記載されたおよび示された空気流の割合は例示を目的としたものであって、限定的に解釈されるべきではない。
【図１Ａ】
2014500475.tif 000003
【図１Ｂ】
2014500475.tif 000004
【図２】
2014500475.tif 000005
【図３Ａ】
2014500475.tif 000006
【図３Ｂ】
2014500475.tif 000007
【図４】
2014500475.tif 000008
【図５Ａ】
2014500475.tif 000009
【図５Ｂ】
2014500475.tif 000010
【図６Ａ】
2014500475.tif 000011
【図６Ｂ】
2014500475.tif 000012
【図６Ｃ】
2014500475.tif 000013
【図７】
2014500475.tif 000014
【国際調査報告】
2014500475.tif 000015
2014500475.tif 000016